【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
光源手段から出射した光束の状態を他の状態に変換する第１の光学素子と、
該第１の光学素子からの光束を主走査方向に長手の線像に変換する第２の光学素子と、
該第２の光学素子からの光束を偏向走査する偏向素子と、
該偏向素子からの光束を被走査面上にスポット状に結像する走査光学素子と、を具備し、
副走査断面内で該偏向素子の偏向面と該被走査面とが略共役である走査光学装置において、
前記走査光学素子の光軸上の光束の副走査断面内の波面収差が最も小さくなる位置が該被走査面より該偏向素子側に位置しており、
前記被走査面から前記光軸上の光束の副走査断面内の波面収差が最も小さくなる位置までの距離をｄＳ０、前記光軸上の光束の偏向点から前記第２の光学素子の副走査断面内の結像位置までの距離をＨＳ０、前記走査光学素子の副走査断面内の横倍率をβｓとするとき、
ＨＳ０×βｓ２≦ｄＳ０＜０．１ＨＳ０×βｓ２
なる条件を満足していることを特徴とする走査光学装置。
【請求項２】
前記光源手段側の最軸外の光束の副走査断面内の波面収差が最も小さくなる位置が前記被走査面より前記反偏向素子側に位置していることを特徴とする請求項１記載の走査光学装置。
【請求項３】
前記被走査面から前記光軸上の光束の副走査断面内の波面収差が最も小さくなる位置までの距離ｄＳ０が、
−４．７２≦ｄＳ０＜−０．４７
なる条件を満足していることを特徴とする請求項１又は２記載の走査光学装置。
【請求項４】
前記走査光学素子の副走査断面内の横倍率βｓが、
１≦｜βｓ｜≦３．５
なる条件を満足することを特徴とする請求項１乃至３のいずれか一項記載の走査光学装置。
【請求項５】
前記光源手段は複数の発光点を有することを特徴とする請求項１乃至４のいずれか一項記載の走査光学装置。
【請求項６】
請求項１乃至５の何れか１項に記載の走査光学装置と、前記被走査面に配置された感光体と、前記走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを有することを特徴とする画像形成装置。
【請求項７】
請求項６に記載の走査光学装置と、外部機器から入力したコードデータを画像信号に変換して前記走査光学装置に入力せしめるプリンタコントローラとを有していることを特徴とする画像形成装置。
【請求項８】
請求項１乃至５の何れか１項に記載の走査光学装置を利用して、複数の光束を各々複数の感光体上に導光し、互いに異なった色の画像を形成することを特徴とするカラー画像形成装置。
【請求項９】
外部機器から入力した色信号を異なった色の画像データに変換して各々の走査光学装置に入力せしめるプリンタコントローラを有していることを特徴とする請求項８記載のカラー画像形成装置。
【請求項１０】
請求項１乃至５の何れか１項に記載の走査光学装置から成る複数の走査光学装置と、各々の走査光学装置の被走査面に配置され、互いに異なった色の画像を形成する複数の感光体とを有することを特徴とするカラー画像形成装置。
【請求項１１】
外部機器から入力した色信号を異なった色の画像データに変換して各々の走査光学装置に入力せしめるプリンタコントローラを有していることを特徴とする請求項１０記載のカラー画像形成装置。
【手続補正２】
【補正対象書類名】明細書
【補正対象項目名】００１２
【補正方法】変更
【補正の内容】
【００１２】
【課題を解決するための手段】
請求項１の発明の走査光学装置は、光源手段から出射した光束の状態を他の状態に変換する第１の光学素子と、
該第１の光学素子からの光束を主走査方向に長手の線像に変換する第２の光学素子と、
該第２の光学素子からの光束を偏向走査する偏向素子と、
該偏向素子からの光束を被走査面上にスポット状に結像する走査光学素子と、を具備し、
副走査断面内で該偏向素子の偏向面と該被走査面とが略共役である走査光学装置において、
前記走査光学素子の光軸上の光束の副走査断面内の波面収差が最も小さくなる位置が該被走査面より該偏向素子側に位置しており、
前記被走査面から前記光軸上の光束の副走査断面内の波面収差が最も小さくなる位置までの距離をｄＳ０、前記光軸上の光束の偏向点から前記第２の光学素子の副走査断面内の結像位置までの距離をＨＳ０、前記走査光学素子の副走査断面内の横倍率をβｓとするとき、
ＨＳ０×βｓ２≦ｄＳ０＜０．１ＨＳ０×βｓ２
なる条件を満足していることを特徴としている。
【手続補正３】
【補正対象書類名】明細書
【補正対象項目名】００１３
【補正方法】変更
【補正の内容】
【００１３】
請求項２の発明は、請求項１の発明において、前記光源手段側の最軸外の光束の副走査断面内の波面収差が最も小さくなる位置が前記被走査面より前記反偏向素子側に位置していることを特徴としている。
【手続補正４】
【補正対象書類名】明細書
【補正対象項目名】００１４
【補正方法】変更
【補正の内容】
【００１４】
請求項３の発明は、請求項１又は２の発明において、前記被走査面から前記光軸上の光束の副走査断面内の波面収差が最も小さくなる位置までの距離ｄＳ０が、
−４．７２≦ｄＳ０＜−０．４７
なる条件を満足していることを特徴としている。
【手続補正５】
【補正対象書類名】明細書
【補正対象項目名】００１５
【補正方法】変更
【補正の内容】
【００１５】
請求項４の発明は、請求項１乃至３のいずれか１項の発明において、前記走査光学素子の副走査断面内の横倍率βｓが、
１≦｜βｓ｜≦３．５
なる条件を満足することを特徴としている。
【手続補正６】
【補正対象書類名】明細書
【補正対象項目名】００１６
【補正方法】変更
【補正の内容】
【００１６】
請求項５の発明は、請求項１乃至４のいずれか１項の発明において、前記光源手段は複数の発光点を有することを特徴としている。
【手続補正７】
【補正対象書類名】明細書
【補正対象項目名】００１７
【補正方法】変更
【補正の内容】
【００１７】
請求項６の発明の画像形成装置は、請求項１乃至５の何れか１項に記載の走査光学装置と、前記被走査面に配置された感光体と、前記走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを有することを特徴としている。
【手続補正８】
【補正対象書類名】明細書
【補正対象項目名】００１８
【補正方法】変更
【補正の内容】
【００１８】
請求項７の発明の画像形成装置は、請求項６に記載の走査光学装置と、外部機器から入力したコードデータを画像信号に変換して前記走査光学装置に入力せしめるプリンタコントローラとを有していることを特徴としている。
【手続補正９】
【補正対象書類名】明細書
【補正対象項目名】００１９
【補正方法】変更
【補正の内容】
【００１９】
請求項８の発明のカラー画像形成装置は、請求項１乃至５の何れか１項に記載の走査光学装置を利用して、複数の光束を各々複数の感光体上に導光し、互いに異なった色の画像を形成することを特徴としている。
【手続補正１０】
【補正対象書類名】明細書
【補正対象項目名】００２０
【補正方法】変更
【補正の内容】
【００２０】
請求項９の発明のカラー画像形成装置は、外部機器から入力した色信号を異なった色の画像データに変換して各々の走査光学装置に入力せしめるプリンタコントローラを有していることを特徴としている。
【手続補正１１】
【補正対象書類名】明細書
【補正対象項目名】００２１
【補正方法】変更
【補正の内容】
【００２１】
請求項１０の発明のカラー画像形成装置は、請求項１乃至５の何れか１項に記載の走査光学装置から成る複数の走査光学装置と、各々の走査光学装置の被走査面に配置され、互いに異なった色の画像を形成する複数の感光体とを有することを特徴としている。
【手続補正１２】
【補正対象書類名】明細書
【補正対象項目名】００２２
【補正方法】変更
【補正の内容】
【００２２】
請求項１１の発明は、請求項１０の発明において、外部機器から入力した色信号を異なった色の画像データに変換して各々の走査光学装置に入力せしめるプリンタコントローラを有していることを特徴としている。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】